(57)【特許請求の範囲】
【請求項１】
愛玩用動物の胴部に巻付けて愛玩用動物の胴部を円筒状に包む伸縮性を備えた略矩形状のシートからなり、前記シートの両側の端部近傍位置に前記端部同士を着脱自在に、かつ、円周方向の寸法を調整可能に固定する固定部材を備えた装着部材と、
前記装着部材に固定された愛玩用動物の外部を覆うカバー部材とを
備えたことを特徴とする愛玩用動物の衣服
【請求項２】
請求項１において、前記装着部材と前記カバー部材を相互に着脱自在に固定するカバー固定部材を備えたことを特徴とする愛玩用動物の衣服
【請求項３】
請求項１又は請求項２において、前記カバー部材が愛玩用動物の頭部カバー部材と背部カバー部材に分離して構成され、
前記頭部カバー部材と前記背部カバー部材を相互に着脱自在に係着する頭部カバー固定部材を
備えたことを特徴とする愛玩用動物の衣服
【発明の詳細な説明】
【技術分野】
【０００１】
本発明は犬や猫等の愛玩動物に着用させる衣服であって、主として気候の寒暖に対して愛玩動物を保護するとともに、降雨時の愛玩動物の散歩に際してレインコートとして利用する愛玩動物の衣服に関するものである。
【背景技術】
【０００２】
従来から愛玩動物の四肢を挿入する構成の衣服（またはレインコート）が提案されている。しかし、これらの構成による衣服は装着させる際、愛玩動物の四肢を衣服に挿入する困難性があり、対象の愛玩動物に不快感を与えるため装着させるときに、愛玩動物が暴れる等の危険をともなうことがあった。また、愛玩動物の四肢を挿入する構成の愛玩動物の衣服は、対象とする愛玩動物の体形と寸法が規制され、愛玩動物の成長に応じた長期間の使用が出来なかった。このため、衣服の製造において対象の愛玩動物の体形に合わせたオーダーメイドの傾向となり、量産したサイズ別の衣服から利用者が選定使用する際に自由度が狭く、的確な製品の入手に困難をともなう課題があった。（特許文献1、特許文献２参照）
【０００３】
また、四肢を挿入させないで愛玩動物に簡易に着用させる衣服（またはレインコート）が提案されているが、同様に対象とする愛玩動物のサイズ変動に対して許容範囲が制約され、かつ愛玩動物の活動に際して安定した装着状態を持続することが困難な問題があった。（特許文献３、特許文献４参照）
【０００４】
【特許文献１】特開平０９−１９２３１
【特許文献２】特開２０００−２４５２８３
【特許文献３】特開２００２−３４５３５９
【特許文献４】特開２００３−１７４８３２
【発明の開示】
【発明が解決しようとする課題】
【０００５】
本発明はこのような問題点に鑑みて提案されたものであって、愛玩動物に不快感を与えることなく簡易に着脱可能で、対象とする愛玩動物のサイズがある程度異なっても安定して装着可能で、また、活動させる際に装着状態を安定して持続可能な、愛玩動物用の衣服（またはレインコート）を提供しようとするものである。
【課題を解決するための手段】
【０００６】
即ち、請求項１に記載の発明は、愛玩用動物の胴部に巻付けて愛玩用動物の胴部を円筒状に包む伸縮性を備えた略矩形状のシートからなり、前記シートの両側の端部近傍位置に前記端部同士を着脱自在に、かつ、円周方向の寸法を調整可能に固定する固定部材を備えた装着部材と、前記装着部材に固定された愛玩用動物の外部を覆うカバー部材とを備えたことを特徴とする愛玩用動物の衣服に係る。
【０００７】
請求項２の発明は、請求項１において、前記装着部材と前記カバー部材を相互に着脱自在に固定するカバー固定部材を備えたことを特徴とする愛玩用動物の衣服に係る。
【０００８】
請求項３の発明は、請求項１又は請求項２において、前記カバー部材が愛玩用動物の頭部カバー部材と背部カバー部材に分離して構成され、前記頭部カバー部材と前記背部カバー部材を相互に着脱自在に係着する頭部カバー固定部材を備えたことを特徴とする愛玩用動物の衣服に係る。
【発明の効果】
【００１３】
請求項１に記載の発明によれば、愛玩用動物の胴部を装着部材としての伸縮性を備えた略矩形状のシートで円筒状に包み、前記シートの両側の端部同士を固定部材で着脱自在に固定する。このとき、前記固定部材は愛玩動物胴部の円周方向の寸法を調整可能に固定する機能を有しているため、胴回りのサイズが多少異なる愛玩用動物に対してさらに適正な締付け状態で前記装着部材を固定することができる。そして、カバー部材は前記装着部材に固定されているため、愛玩用動物の衣服を全体として簡易に愛玩用動物に装着できる。即ち、衣服の機能を愛玩用動物への固定と愛玩用動物をカバーする機能に分離したことにより、装着が容易で、愛玩用動物の体に過大な緊迫感を与えることなく愛玩用動物をカバーできる衣服を提供できる。
【００１４】
この結果、愛玩用動物の衣服を新規に入手する際、並びに飼育中の愛玩用動物の成長度合いや空腹等動物の状態に対応するサイズ変動に対して、前記装着部材のサイズ適応性が大幅に向上して衣服を確実に固定することが可能になるともに、愛玩用動物にとっても好適な装着条件を提供できる効果がある。
【００１５】
また、請求項２に記載の発明によれば、請求項1において、前記装着部材と前記カバー部材を相互に着脱自在に固定するカバー固定部材を備えたことにより、簡易に前記装着部材と前記カバー部材を着脱できるため、デザインや材質の異なる複数個のカバー部材を季節や天候に応じて取替えて使用することが可能となり、また、前記装着部材を分離して洗濯する等、各種利用上の自由度が広がる。なお、愛玩用動物の屋外における胴部の汚れや虫の付着を回避するために、前記装着部材のみを装着した状態で利用することもできる。
【００１７】
請求項３に記載の発明によれば、前記カバー部材が愛玩用動物の頭部カバー部材と背部カバー部材に分離して構成され、前記頭部カバー部材を前記背部カバー部材に着脱自在に固定することができるため、季節や天候に応じて必要時には頭部カバー部材を装着し、不要な場合には取外した状態で利用することが簡易に実施できる。
【発明を実施するための最良の形態】
【００２０】
以下、添付の図面に従ってこの発明を詳細に説明する。図１は本発明の衣服を愛玩用動物に装着した実施例としての外観図、図２は頭部カバー部材を取外した愛玩用動物の外観図、図３は装着部材のみを装着させた愛玩用動物の外観図、図４は愛玩用動物の衣服の構造を示す実施例としての外観図である。
【００２１】
図１の外観図に示す如く、愛玩用動物１の例としての犬の衣服２は、カバー部材１３と装着部材５で構成され、カバー部材１３は背部カバー部材３と頭部カバー部材４に分割されてそれぞれが分離可能な構成となっている。即ち、愛玩用動物１の胴体に装着した装着部材５に背部カバー部材３が着脱自在に固定され、背部カバー部材３に頭部カバー部材４が着脱自在に固定されて、全体としての衣服２を形成している。なお、愛玩用動物１の衣服２の主要部は、可撓性の繊維や合成樹脂等のシートを素材として製作されている。
【００２２】
また、大型の愛玩動物等に対して必要に応じて使用する固定バンド６は、図示の如く愛玩動物１の両側面の例示位置で、背部カバー部材３の端部同志を着脱自在に固定して愛玩動物１に対する背部カバー部材３を安定させる働きをしている。また、頭部カバー部材４の一部である眼周辺部材７は透明の素材を使用して視野を確保している。また、首輪等に接続された紐８は、図示例においては頭部カバー部材４の開口部１０ａを通して衣服２の外部に引出されて牽引の用に供される。
【００２３】
図２に示す如く、頭部カバー部材４を取除いたとき、愛玩用動物１は装着部材５と背部カバー部材３のみを装着した状態となり、必要に応じて紐８を利用して外出等の目的に衣服２を利用することができる。なお、頭部カバー部材４を使用する際には、背部カバー部材３の両側に取付けた複数のホック９が、詳細後述の頭部カバー部材４側のホック９ａと着脱自在に結合して頭部カバー部材４を背部カバー部材３に固定する構成になっている。
【００２４】
図３の外観図は、愛玩用動物１に装着部材５のみを装着した状態を示すもので、シート状の装着部材５が胴部で巻付けられて、装着部材端部５ａの部分で端部同士が重ねられて面ファスナーに類する固定部材１１で着脱自在に、かつ、相対位置調整自在に固定されている。また、装着部材５にはカバー固定部材１２としてのホックが示されており、背部カバー部材３側の対応するホックと一体になって背部カバー部材３を着脱自在に固定部材５に固定する。なお、固定部材１１及びカバー固定部材１２は特に例示した面ファスナーやホックに限定されされず、紐やクリップ等使用目的に応じた各種の固定手段が利用できる。
【００２５】
図４の外観図に構造の詳細を例示する如く、衣服２は背部カバー部材３、頭部カバー部材４、及び装着部材５から構成されている。装着部材５は図示円周方向に伸縮性を備えるため、シャーリングを施してあるが、ニットや合成樹脂等で伸縮性を有する素材が広く利用できる。また、装着部材５には前述の固定部材１１としての面ファスナー、並びにカバー固定部材１２としてのホックが取付けられている。なお、装着部材５は、伸縮性に富んだ素材でループ状の形状として、愛玩動物をくぐらせて装着する構造とすることもできる。
【００２６】
また、背部カバー部材３には、カバー固定部材１２ａ、並びに頭部カバー部材４を着脱自在に固定する頭部カバー固定部材としてのホック９が取付けられている。背部カバー部材３には、図示例の外周飾り３ａやフリル等各種の装飾を施すことが可能であり、形状や装飾は対象とする愛玩動物の種類やサイズ及び衣服の使用目的に応じて適宜変更することができる。
【００２７】
また、頭部カバー部材４には、背部カバー部材３のホック９に対応するホック９ａが取付けられている。なお、背部カバー部材３及び頭部カバー部材４には、開口部１０及び、または開口部１０ａが設けられており、愛玩動物の胴部を固縛した紐または首輪に接続した紐等を通過させて、用途に応じて愛玩動物を牽引することができる構造になっている。なお、頭部カバー部材４においては愛玩動物の視野を確保することが望ましく、この場合、頭部カバー部材４の主要部を透明性のある素材とするか、眼周辺部材７に透明性のある素材を利用する、あるいは眼周辺部材７の部分のない構成とする。
【００２８】
なお、前述の説明では愛玩動物の衣服２が、背部カバー部材３、頭部カバー部材４、及び装着部材５から構成され、また、それぞれ分離可能に構成されている場合を説明した。しかし、本発明に係る愛玩動物の衣服は、背部カバー部材３、頭部カバー部材４、及び装着部材５の全体を一体として固定した構成とすることも可能であり、また、背部カバー部材３、頭部カバー部材４を一体として装着部材５に着脱自在に装着する構成とすることもできる。なお、利用目的に応じて、頭部カバー部材４や背部カバー部材３を取外した状態で装着して使用することも可能であり、また、愛玩動物を固縛する紐等を繋ぐ部材を装着部材５に備えた構造とすることも可能であり、本発明は実施例に限定されず発明の主旨の範囲で各種の応用ができる。
【図面の簡単な説明】
【００２９】
【図１】本発明の衣服を愛玩用動物に装着させた実施例としての外観図。
【図２】頭部カバー部材を取外した愛玩用動物の外観図。
【図３】装着部材のみを装着させた愛玩用動物の外観図。
【図４】愛玩用動物の衣服の構造を示す実施例としての外観図である。
【符号の説明】
【００３０】
１      愛玩用動物
２      衣服
３      背部カバー部材
３ａ    外周飾り
４      頭部カバー部材
５      装着部材
５ａ    装着部材端部
６      固定バンド
７      眼周辺部材
８      紐
９      ホック
９ａ    ホック
１０    開口部
１０ａ  開口部
１１    固定部材
１２    カバー固定部材
１２ａ  カバー固定部材    
１３    カバー部材
【要約】
【課題】愛玩動物に不快感を与えることなく簡易に着脱可能で、愛玩動物の活動に際しても安定して装着状態を持続できる愛玩動物用の衣服であって、特に、対象とする愛玩動物のサイズがある程度異なっても好適に装着可能な愛玩動物用の衣服（またはレインコート）を提供する。
【解決手段】愛玩用動物１の胴部に巻付けて円筒状に包む伸縮性を備えた略矩形状のシートの両側の端部近傍に端部同士を着脱自在に、かつ、胴部の円周方向の寸法を調整可能に固定する固定部材を備えた装着部材５と、装着部材５に固定されて愛玩用動物１の外部を覆うカバー部材１３とを備えた衣服２により、伸縮性を備えた装着部材５を確実かつ柔らかく愛玩用動物１の胴部に装着して固定し、装着部材５に固定したカバー部材１３を一体の衣服として愛玩用動物１に装着する。
【選択図】  図１
【図１】
0003697699.tif 000002
【図２】
0003697699.tif 000003
【図３】
0003697699.tif 000004
【図４】
0003697699.tif 000005